(57)【要約】【課題】実行しようとするアプリケーションと扱うデータの大きさによって、表示データの伝送手段および表示方式を最適に選択制御することができる表示装置において、該制御を行うための構成を簡略化する。【解決手段】本体装置１０と表示装置２０とが通信手段により接続された表示システムにおいて、表示装置２０側で表示しようとする表示データが文字か画像かに基づいて、通信方式の異なる第１の通信手段（通信部２４ａおよび通信部１２ａ）および第２の通信手段（通信部２４ｂおよび通信部１２ｂ）のうちの一方を選択して通信手段を確立する。その後、表示装置２０から本体装置１０に表示データに合わせた表示方式を通知し、本体装置１０はその表示方式に合った表示制御プログラムを表示装置２０へ送信し、表示装置２０側で表示制御プログラムを更新する。【選択図】　図１
2004021630.tif 000002
【特許請求の範囲】
【請求項１】
画像処理装置と通信手段により接続され、画像処理装置より伝送された表示データの画面表示が可能な表示装置において、
表示データの種類に合わせた最適な表示方式を示すデータフォーマットを画像処理装置に通知する表示方式通知手段と、
通知した表示方式で表示を行うための表示制御プラグラムを画像処理装置から受信し、表示制御プログラムの更新を行うプログラム更新手段とを備えていることを特徴とする表示装置。
【請求項２】
上記表示方式通知手段は、画像処理装置に通知する表示方式に従う表示画素データと同期タイミングとのデータフォーマットを送信することによって表示方式の通知を行うことを特徴とする請求項１に記載の表示装置。
【請求項３】
上記表示方式通知手段は、表示方式のスペックに関する記述を含む、文字または画像データのデータフォーマットを送信することによって表示方式の通知を行うことを特徴とする請求項１に記載の表示装置。
【請求項４】
表示データの種類に合わせた最適な通信方式を画像処理装置に通知する通信方式通知手段と、
画像処理装置との間で、上記通信方式通知手段によって通知した通信方式を確立する通信方式確立手段とを備えていることを特徴とする請求項１に記載の表示装置。
【請求項５】
表示装置と通信手段により接続され、表示装置に表示データの伝送を行う画像処理装置において、
表示装置から通知される、表示データの種類に合わせた最適な表示方式を示すデータフォーマットを受信する表示方式受信手段と、
表示方式受信手段によって受信したデータフォーマットを解析し、該データフォーマットによって示される表示方式を認識する表示方式解析手段と、
表示方式解析手段によって認識した表示方式で表示装置に表示を行わせるための表示制御プラグラムを、表示装置に送信するプログラム送信手段とを備えていることを特徴とする画像処理装置。
【請求項６】
上記表示方式受信手段によって表示装置から受信するデータフォーマットは、通知される表示方式に従う表示画素データと同期タイミングとのデータフォーマットであることを特徴とする請求項５に記載の画像処理装置。
【請求項７】
上記表示方式受信手段によって表示装置から受信するデータフォーマットは、表示方式のスペックに関する記述を含む、文字または画像データのデータフォーマットであることを特徴とする請求項５に記載の画像処理装置。
【請求項８】
表示装置から通知される、表示データの種類に合わせた最適な通信方式を受信する通信方式受信手段と、
表示装置との間で、上記通信方式受信手段によって受信した通信方式を確立する通信方式確立手段とを備えていることを特徴とする請求項５に記載の画像処理装置。
【請求項９】
表示装置と画像処理装置とが通信手段により接続され、画像処理装置より通信手段を介して伝送された表示データが表示装置側にて画面表示される表示システムにおいて、
上記表示装置は、
表示データの種類に合わせた最適な表示方式を示すデータフォーマットを画像処理装置に通知する表示方式通知手段と、
通知した表示方式で表示を行うための表示制御プラグラムを画像処理装置から受信し、表示制御プログラムの更新を行うプログラム更新手段とを備えており、上記画像処理装置は、
表示装置から通知される、表示データの種類に合わせた最適な表示方式を示すデータフォーマットを受信する表示方式受信手段と、
表示方式受信手段によって受信したデータフォーマットを解析し、該データフォーマットによって示される表示方式を認識する表示方式解析手段と、
表示方式解析手段によって認識した表示方式で表示装置に表示を行わせるための表示制御プラグラムを、表示装置に送信するプログラム送信手段とを備えていることを特徴とする表示システム。
【請求項１０】
一つの画像処理装置に対して複数の表示装置を接続するものであり、
上記画像処理装置は、通信を行う表示装置を認証する認証手段を備えていることを特徴とする請求項９に記載の表示システム。
【請求項１１】
上記表示装置および画像処理装置がネットワークによる通信手段によって接続されていることを特徴とする請求項１０に記載の表示システム。
【発明の詳細な説明】
【０００１】
【発明の属する技術分野】
本発明は、画像処理装置と表示装置と通信手段にて接続した表示システムにおいて、画面表示しようとする表示データに応じて、表示方式および通信手段を最適なものに選択可能することができる表示システムに関するものである。
【０００２】
【従来の技術】
一般に、コンピュータや映像機器等の電子機器に接続されるディスプレイ（表示装置）のように、画面表示を行う表示装置を表示データの処理を行う本体装置（画像処理装置）から分離し、本体装置と表示装置との間を通信手段にて接続することにより、本体装置から離れた場所で画面を見ることのできる表示システムがある。しかし、これらの表示システムの多くにおいては、本体装置と表示装置との間を接続する通信手段が一つに固定されている、あるいは、表示装置のディスプレイ部において解像度に代表されるような表示方式が一つに固定されている、等の制限がある。
【０００３】
また、上記表示システムで用いられる表示装置を持ち運び可能な構成として提供する場合、このような表示装置はバッテリーによって動作電源が供給されることとなる。このため、上記表示装置におけるバッテリー寿命を伸ばそうとすれば、該表示装置の消費電力を低減することが必要となる。
【０００４】
上記表示システムにおいては、扱われる表示データが、テキスト文字が主な比較的小容量のものから動画のように大容量のものまで多種多様である場合、表示データの種類によって必要とされる解像度等の表示方式は異なる。
【０００５】
ところが、上記従来の構成では、表示方式が一つに固定されているため、低解像度で十分表示可能なデータを表示させる場合であっても、表示方式が高解像度表示に対応したものであれば高解像度での表示が行われ、消費電力が必要以上に大きくなるといった問題がある。
【０００６】
同様に、上記従来の構成では、通信方式が一つに固定されているため、表示データの種類によっては、消費電力が必要以上に大きくなる通信方式によって表示データの伝送が行われるといった問題もある。
【０００７】
一方、無線ＬＡＮやＢｌｕｅｔｏｏｔｈのような近距離無線通信を用いれば、室内などでケーブルを用いずに機器間を接続し、データの転送や離れた場所での画像閲覧などが可能となってきている。このような状況で扱われるデータはテキスト文字が主な比較的小容量のものから、動画のように大容量のものまで多種多様であって、無線の到達距離や通信速度および消費電力の程度によって、最適な手段を選択することは有効であると考えられる。
【０００８】
これらの課題に対して、特開２０００−１０５３９号公報には、移動無線受信機に組み込まれるものであり、無線通信チャネルより受信する表示データの種類を判別し、解像度の異なる複数の表示手段から最適なものを選択し、必要以上の電力消費を抑制する表示制御装置が提案されている。
【０００９】
また、特開平１１−１５４２５号公報では、使用者がディスプレイ表示装置側の操作で任意の表示モードを選択すると、ＤＤＣ（Ｄｉｓｐｌａｙ　Ｄａｔａ　Ｃｈａｎｎｅｌ）制御信号を使用して自動的に表示モードの設定を行う方法が提案されている。
【００１０】
【発明が解決しようとする課題】
ところが、上記特開２０００−１０５３９号公報で開示されている表示制御装置では、受信した表示データの種類に合わせて表示方式を切り替えるために、該表示制御装置を組み込んだ移動無線受信機において複数の表示装置を備えており、移動無線受信機の構成が複雑化かつ大型化するといった問題がある。また、受信される表示データに応じて通信手段を最適に制御することは考慮されていない。
【００１１】
また、特開平１１−１５４２５号公報に記載のディスプレイ装置では、システム装置側での表示モード設定操作は省けるものの、使用者がディスプレイ表示装置側で表示モードを選択する操作と、システム装置側でアプリケーションの起動操作の両方を必要とする。また、システム装置側で扱う表示データの性質と表示モードの関連付けがされていないため、表示させたいデータに最適な表示モードを意識しておかなければならず、表示モードの種類に不慣れな使用者にとっては、必ずしも簡便な手順では無い。
【００１２】
本発明は、上記の問題点を解決するためになされたもので、その目的は、実行しようとするアプリケーションと扱うデータの大きさによって、表示データの伝送手段および表示方式を最適に選択制御することができると共に、該制御を行うための表示装置の構成を簡略化できる表示システムを提供することにある。
【００１３】
【課題を解決するための手段】
本発明の表示装置は、上記の課題を解決するために、画像処理装置と通信手段により接続され、画像処理装置より伝送された表示データの画面表示が可能な表示装置において、表示データの種類に合わせた最適な表示方式を示すデータフォーマットを画像処理装置に通知する表示方式通知手段と、通知した表示方式で表示を行うための表示制御プラグラムを画像処理装置から受信し、表示制御プログラムの更新を行うプログラム更新手段とを備えていることを特徴としている。
【００１４】
上記の構成によれば、使用者が実行したいアプリケーションを選択すると、そのアプリケーションで表示されるデータに応じた最適な表示方式が選択され、該表示方式が表示方式通知手段によって画像処理装置に通知される。画像処理装置側では、通知された表示方式で表示を行うための表示制御プラグラムを表示装置に送信し、表示装置側で表示制御プラグラムの更新を行う。
【００１５】
これにより、表示装置では、これ以降、最適な表示方式（例えば、解像度）にて表示を行うことができ、表示端末で消費される電力を低減させることができる。これは、表示装置がバッテリーにより動作する場合等にバッテリー寿命を伸ばすことができ好適である。
【００１６】
また、使用者が実行したいアプリケーションと表示方式が関連付けられて、自動的に選択制御されることにより、使用者は必要とされる表示方式を意識することなく、簡便な操作を実現可能である。
【００１７】
さらに、表示装置は、表示データに合わせて表示方式を切り替える際、そのための表示制御プログラムを画像処理装置側から受信して更新する構成のため、複数の表示制御プログラムを格納している必要がなく、表示装置の構成を簡略化することが可能である。
【００１８】
上記表示装置では、上記表示方式通知手段は、画像処理装置に通知する表示方式に従う表示画素データと同期タイミングとのデータフォーマットを送信することによって表示方式の通知を行う構成とすることができる。
【００１９】
上記の構成によれば、任意の表示方式の画素数および同期タイミングを、表示装置から画像処理装置に認識させ、その値に応じて表示装置を制御する表示制御プログラムの更新が可能なことにより、規格に規定されていない表示方式にも対応が可能となる。
【００２０】
上記表示装置では、上記表示方式通知手段は、表示方式のスペックに関する記述を含む、文字または画像データのデータフォーマットを送信することによって表示方式の通知を行う構成とすることができる。
【００２１】
上記の構成によれば、任意の表示方式のスペックを、表示装置から画像処理装置に認識させ、そのスペックに応じて表示装置を制御する表示制御プログラムの更新が可能なことにより、規格に規定されていない表示方式にも対応が可能となる。
【００２２】
上記表示装置は、さらに、表示データの種類に合わせた最適な通信方式を画像処理装置に通知する通信方式通知手段と、画像処理装置との間で、上記通信方式通知手段によって通知した通信方式を確立する通信方式確立手段とを備えている構成とすることができる。
【００２３】
上記の構成によれば、使用者が実行したいアプリケーションを選択すると、そのアプリケーションで表示されるデータに応じた最適な通信方式が選択され、該通信方式が通信方式通知手段によって画像処理装置に通知される。そして、上記通信方式の通知に基づき、通信方式確立手段によって、表示装置と画像処理装置との間で通信方式が確立される。
【００２４】
これにより、表示装置および画像処理装置の間で、これ以降、最適な通信方式（例えば、通信速度）にて表示データの通信を行うことができ、消費電力の多くを占めると考えられる表示データの伝送に使用される通信手段を選択的に切替ることにより、更なる低消費電力化を図ることができる。
【００２５】
本発明の画像処理装置は、上記の課題を解決するために、表示装置と通信手段により接続され、表示装置に表示データの伝送を行う画像処理装置において、表示装置から通知される、表示データの種類に合わせた最適な表示方式を示すデータフォーマットを受信する表示方式受信手段と、表示方式受信手段によって受信したデータフォーマットを解析し、該データフォーマットによって示される表示方式を認識する表示方式解析手段と、表示方式解析手段によって認識した表示方式で表示装置に表示を行わせるための表示制御プラグラムを、表示装置に送信するプログラム送信手段とを備えていることを特徴としている。
【００２６】
上記の構成によれば、使用者が実行したいアプリケーションを選択し、そのアプリケーションで表示されるデータに応じた最適な表示方式が表示装置側にて選択された場合、該表示方式が表示装置から通知され、通知された最適な表示方式を示すデータフォーマットが表示方式受信手段によって受信される。そして、表示方式解析手段によって上記データフォーマットを解析することで表示方式が認識されると、認識された表示方式で表示装置に表示を行わせるための表示制御プラグラムを、プログラム送信手段によって表示装置に送信する。
【００２７】
これにより、表示装置では、これ以降、最適な表示方式（例えば、解像度）にて表示を行うことができ、表示端末で消費される電力を低減させることができる。さらに、表示装置は、表示データに合わせて表示方式を切り替える際、そのための表示制御プログラムを画像処理装置側から受信して更新する構成のため、複数の表示制御プログラムを格納している必要がなく、表示装置の構成を簡略化することが可能である。
【００２８】
また、上記画像処理装置では、上記表示方式受信手段によって表示装置から受信するデータフォーマットは、通知される表示方式に従う表示画素データと同期タイミングとのデータフォーマットである構成とすることができる。
【００２９】
上記の構成によれば、任意の表示方式の画素数および同期タイミングを、表示装置から画像処理装置に認識させ、その値に応じて表示装置を制御する表示制御プログラムの更新が可能なことにより、規格に規定されていない表示方式にも対応が可能となる。
【００３０】
また、上記画像処理装置では、上記表示方式受信手段によって表示装置から受信するデータフォーマットは、表示方式のスペックに関する記述を含む、文字または画像データのデータフォーマットである構成とすることができる。
【００３１】
上記の構成によれば、任意の表示方式のスペックを、表示装置から画像処理装置に認識させ、そのスペックに応じて表示装置を制御する表示制御プログラムの更新が可能なことにより、規格に規定されていない表示方式にも対応が可能となる。
【００３２】
また、上記画像処理装置では、表示装置から通知される、表示データの種類に合わせた最適な通信方式を受信する通信方式受信手段と、表示装置との間で、上記通信方式受信手段によって受信した通信方式を確立する通信方式確立手段とを備えている構成とすることができる。
【００３３】
上記の構成によれば、使用者が実行したいアプリケーションを選択すると、そのアプリケーションで表示されるデータに応じた最適な通信方式が選択され、該通信方式が画像処理装置から通知され、通知された通信方式を通信方式受信手段によって受信する。そして、上記通信方式の通知に基づき、通信方式確立手段によって、表示装置と画像処理装置との間で通信方式が確立される。
【００３４】
これにより、表示装置および画像処理装置の間で、これ以降、最適な通信方式（例えば、通信速度）にて表示データの通信を行うことができ、消費電力の多くを占めると考えられる表示データの伝送に使用される通信手段を選択的に切替ることにより、更なる低消費電力化を図ることができる。
【００３５】
また、本発明の表示システムは、上記の課題を解決するために、表示装置と画像処理装置とが通信手段により接続され、画像処理装置より通信手段を介して伝送された表示データが表示装置側にて画面表示される表示システムにおいて、上記表示装置は、表示データの種類に合わせた最適な表示方式を示すデータフォーマットを画像処理装置に通知する表示方式通知手段と、通知した表示方式で表示を行うための表示制御プラグラムを画像処理装置から受信し、表示制御プログラムの更新を行うプログラム更新手段とを備えており、上記画像処理装置は、表示装置から通知される、表示データの種類に合わせた最適な表示方式を示すデータフォーマットを受信する表示方式受信手段と、表示方式受信手段によって受信したデータフォーマットを解析し、該データフォーマットによって示される表示方式を認識する表示方式解析手段と、表示方式解析手段によって認識した表示方式で表示装置に表示を行わせるための表示制御プラグラムを、表示装置に送信するプログラム送信手段とを備えていることを特徴としている。
【００３６】
上記の構成の表示システムでは、上述の表示装置および画像処理装置と同様の効果を得ることができる。
【００３７】
また、上記表示システムでは、一つの画像処理装置に対して複数の表示装置を接続し、上記画像処理装置は、通信を行う表示装置を認証する認証手段を備えている構成とすることができる。
【００３８】
上記の構成によれば、上記画像処理装置は認証手段によって接続された複数の表示装置のそれぞれを認識することができ、表示装置毎に上述した表示制御を行うことができる。これによって、複数の表示装置を並行して同時に制御する表示システムにおいて、本発明の適用が可能となる。
【００３９】
また、上記表示システムでは、上記表示装置および画像処理装置がネットワークによる通信手段によって接続されている構成とすることができる。
【００４０】
上記の構成によれば、本発明の表示システムを、移動電話網等のネットワークを利用して文字もしくは画像のアプリケーションを実行したい場合などに適用することができる。
【００４１】
【発明の実施の形態】
本発明の実施の一形態について図１ないし図９に基づいて説明すれば、以下の通りである。
【００４２】
図１は本実施の形態に係る表示システムの全体構成を示すものである。この表示システムは、表示データに種々の情報処理を行う本体装置１０、および該本体装置１０より表示データを受け取り、これを画面表示する表示装置２０によって構成されている。本体装置１０と表示装置２０との間では有線もしくは無線の通信手段にて表示データの伝送が行われる。
【００４３】
本体装置１０は、演算装置・記憶装置を含む主処理装置１１、表示装置２０へ伝送する表示データを指定された通信方式における伝送フォーマットに変換する通信部１２ａ・１２ｂ、および使用者の操作を可能とする入出力操作部１３から構成される。
【００４４】
表示装置２０は、ディスプレイ部２１、ディスプレイ部コントローラ２２、制御部２３、通信部２４ａ・２４ｂ、および入出力操作部２５から構成される。ディスプレイ部２１は、本体装置１０から伝送された表示データを表示する。ディスプレイ部コントローラ２２は、ディスプレイ部２１の表示制御を行う。制御部２３は、表示方式および通信方式の選択等の制御を実行する。通信部２４ａ・２４ｂは、ディスプレイ部２１に表示される表示データを指定された通信方式における伝送フォーマットから変換して受信するものであり、本体装置１０の通信部１２ａ・１２ｂと同一の方式・通信プロトコルを有する。入出力操作部２５は、使用者がアプリケーション選択などの処理要求などを指示する操作系を備えている。
【００４５】
さらに、ディスプレイ部２１およびディスプレイ部コントローラ２２の詳細な構成を図２に示す。
【００４６】
ディスプレイ部２１は、液晶ディスプレイ３１、ゲートドライバ３２、ソースドライバ３３からなり、ディスプレイ部コントローラ２２は、駆動回路３４、メモリ（例えば、書き換え可能なＲＯＭ）３５からなる。駆動回路３１は、表示データをディスプレイ部２１の持つインターフェース仕様に合わせて変換およびタイミング制御を行う。メモリ３５は、その変換およびタイミング制御を実行するための表示制御プラグラムを格納している。尚、ディスプレイ部２１においては、液晶素子を用いて構成したものに限らず、例えば、有機ＥＬ素子等を用いて構成した表示装置であってもよい。
【００４７】
また、図２では、ゲートドライバ３２およびソースドライバ３３のそれぞれが、複数のゲートドライバ３２ａ〜３２ｃ、ソースドライバ３３ａ〜３３ｃに分割されている場合を例示している。
【００４８】
本体装置１０および表示装置２０間の通信を行う通信手段は、本体装置１０側の通信部１２ａ・１２ｂと、表示装置２０側の通信部２４ａ・２４ｂとによって構成されており、通信部１２ａおよび通信部２４ａによって第１の通信手段が構成され、通信部１２ｂおよび通信部２４ｂによって第２の通信手段が構成されている。第１の通信手段および第２の通信手段は、通信速度、変調方式などが互いに異なる通信手段であって、本体装置１０と表示装置２０との間では、どちらか一方の通信手段が選択的に用いられて表示データが伝送される。
【００４９】
上記構成の本体装置１０および表示装置２０において、表示動作の手順を図３のタイミングチャートを参照して以下に説明する。
【００５０】
以下の説明においては、表示に係るアプリケーションとして文字表示、画像表示の２種類のアプリケーションが実行される。また、本体装置１０と表示装置２０を結ぶ通信手段は、第１の通信手段における通信速度が１０Ｍｂｐｓ、第２の通信手段における通信速度が１００Ｍｂｐｓであるとする。さらに、表示装置２０におけるディスプレイ部２１の表示方式として、文字表示向けに６４０×４８０、画像表示向けに１０２４×７６８の解像度の表示が実現可能とする。尚、上記の通信および表示方式はあくまで一例であって、本発明は上記方式に限定されるものでないことは明らかである。
【００５１】
最初に、本体装置１０および表示装置２０間での表示データの通信を開始するにあたって、本体装置１０および表示装置２０の両方でシステム初期化処理が行われる（Ｓ０）。このシステム初期化処理が終了することで、使用者が表示装置２０に備えられた入出力操作部２５の操作することにより、実行したいアプリケーションを選択することが可能となる。
【００５２】
使用者が入出力操作部２５の操作によって実行したいアプリケーションを選択する（Ｓ１）と、選択されたアプリケーションにより指定される通信手段が起動され、本体装置１０側の同じ通信手段との通信を試みる。例えば、アプリケーションにより指定される通信手段が第１の通信手段であれば、表示装置２０側の通信部２４ａが起動され本体装置１０側の通信部１２ａとの通信が試みられる。これにより、本体装置１０と表示装置２０との間で通信方式が確立される（Ｓ２）。
【００５３】
次に、表示装置２０は、制御部２３の処理により、実行したいアプリケーションの表示に好適な表示方式（すなわち、表示させたいデータの種類（文字データもしくは画像データ）および同期タイミングによって決定される表示方式）を本体装置１０に伝送する（Ｓ３）。この時の表示方式の伝送は、実行したいアプリケーションにより指定されるデータフォーマットにて行われる。
【００５４】
本体装置１０は、表示装置２０より伝送されたデータフォーマットを解析し、表示しようとするデータが文字または画像かによって決まる表示方式、すなわち、解像度（水平方向および垂直方向の画素数）、水平同期および垂直同期のタイミングを指定した表示制御プログラムを表示装置に伝送する（Ｓ４）。表示装置２０は、本体装置１０からの表示制御プログラムの送信を受けて、ディスプレイ部コントローラ２２に設けられたメモリ３５において表示制御プログラムを更新する（Ｓ５）。表示装置２０は、表示制御プログラムの更新によって、画面表示が可能な状態になると、表示準備が完了したことを本体装置１０へ通知する（Ｓ６）。上記Ｓ３〜Ｓ６の処理により、表示装置２０における表示方式が確立される。
【００５５】
以上の設定が終了し、表示装置２０における表示方式が確立されると、本体装置１０から表示装置２０への表示データの伝送が開始される（Ｓ７）。
【００５６】
次に、実行するアプリケーションとして文字表示を行うアプリケーションが選択された場合のＳ２〜Ｓ４における詳細な処理の例を説明する。
【００５７】
表示装置２０における入出力操作部２５に備えられたスイッチ、キーボード等の入出力手段により文字表示を行うアプリケーションが選択された場合、文字表示では比較的低速の通信手段で十分であることから、制御部２３は第１の通信手段を構成する通信部２４ａの起動を行う。
【００５８】
起動された通信部２４ａは、本体装置１０に備えられる通信部１２ａとの接続を試み、通信部１２ａが通信可能な状態にあったときには第１の通信手段を用いて表示装置２０と本体装置１０との間で表示データの通信手段が確立される。もし、通信部１２ａが何らかの理由により通信できる状態にない場合は、代替手段として同様の手順で第２の通信手段による接続の確立を試みる。
【００５９】
表示装置２０と本体装置１０との間の通信手段が確立されると、表示装置２０における制御部２３は、上記で選択された第１の通信手段によって、表示させようとする表示データの表示に好適な表示方式、すなわち解像度および同期タイミングによる表示画素データを本体装置１０へ送信する。この表示画素データは、駆動回路３４を介してディスプレイ部３１に送信される表示画素データと同一のスペックを有するものであり、図４（ａ）〜（ｃ）に示すように、水平同期信号、垂直同期信号のタイミングと共に、画素データが送信されるものである。
【００６０】
本体装置１０は、表示装置２０から送信される上記表示画素データを受信し、図４（ａ），（ｃ）に示す水平同期信号および画素データにより、１水平ライン時間Ｔｈあたりの画素数Ｘ＝６４０をカウントする。これにより、図４（ｄ）に示すようなドットクロックの周波数ＦがＦ＝Ｔｈ÷Ｘにより算出できる。また、本体装置１０は、図４（ａ），（ｂ）に示す水平同期信号および垂直同期信号により、１垂直期間内にカウントされる１水平期間の数をカウントすることで１フレームの画像における縦方向の画素数Ｙ＝４８０を検出できる。こうして、図４（ａ）〜（ｃ）に示す表示画素データにより、画素数６４０×４８０ドット、ドットクロックＦという表示方式のスペックが検出される。
【００６１】
表示装置２０から本体装置１０へ表示方式を通知する際のデータフォーマットとして、図４の例では、画素データと水平同期信号および垂直同期信号のタイミングとを送信する場合を示した。しかしながら、選択されたアプリケーションによって指定される通信手段の通信速度が遅い場合には、実際のタイミングでデータフォーマットをそのまま送信すると表示方式が確定するまでの時間が長くなりすぎて不適当となる場合がある。そのような場合にはアプリケーションデータ、すなわち文字もしくは画像データを、表示方式を通知するデータフォーマッとして直接用いることも可能である。図５（ａ），（ｂ）に、表示方式を通知するためのデータフォーマットとして、文字データおよび画像データを用いる場合の一例を示す。
【００６２】
図５（ａ）は文字データによるデータフォーマットを示すものであり、このデータフォーマットでは、画素数およびドットクロック周波数が記述される。すなわち、図５（ａ）に示すデータフォーマットの最初の記述「Ｘ６４０」は、水平方向の画素数Ｘが６４０画素であることを示し、その次の記述「Ｙ４８０」は、垂直方向の画素数Ｙが４８０画素であることを示している。そして、最後の記述「Ｆ３６Ｍ」は、ドットクロックの周波数が３６ＭＨｚであること示す。本体装置１０は、上記データフォーマットを受信するとその記述内容を認識し、画素数６４０×４８０、ドットクロック３６ＭＨｚの表示方式が検出される。
【００６３】
図５（ｂ）は画像データによるデータフォーマットを示すものである。画像データの場合にあっては、一般的にＪＰＥＧやＭＰＥＧなどの圧縮形式によってデータが伝送される。これら圧縮形式のデータは図５（ｂ）に示すように、ヘッダーにて始まるパケットにより構成され、本体装置１０での復号化処理においてヘッダーを認識することによって画像データであることを判別できる。同時にヘッダーに記述されている情報より画素数および伝送速度を認識することができる。または、画素数および伝送速度の情報は、パケット内の機能拡張情報エリア内のユーザー定義エリアを使用して通知することも可能である。
【００６４】
本体装置１０は、表示装置２０から送られるデータフォーマットを解析して、該データフォーマットによって通知される同期タイミングおよび画素数を検出し、検出されたこれらの駆動パラメータによる表示方式に従って表示データを生成する。このため、表示装置２０から通知された表示方式が、ＤＤＣ等の規格によって予め規定されていないような表示方式であっても対応が可能となる。
【００６５】
表示装置２０に備えられたディスプレイ部２１において、データを表示する手段が、画素毎に設けられたＴＦＴをスイッチングして画素の点灯・否点灯を切替る液晶ディスプレイ３１である場合、駆動回路３４を制御する表示制御プログラムではゲートドライバ３２およびソースドライバ３３のタイミングを制御する動作クロックの生成に上記の駆動パラメータの値が必要となる。本体装置１０が、表示装置２０から送られるデータフォーマットを解析して、これらの駆動パラメータを検出すると、その検出結果に基づいて駆動パラメータを更新した表示制御プログラムが本体装置１０から表示装置２０に伝送され、表示装置２０のディスプレイ部コントローラ２２内のメモリ３５において表示制御プログラムを更新する。
【００６６】
上記説明においては、本体装置１０と表示装置２０とを１対１に接続した表示システムを例示したが、本発明の表示システムは、一つの本体装置１０に対して複数の表示装置２０を接続し、各表示装置２０のそれぞれにおいて、文字表示あるいは画像表示のアプリケーションが独立に実行可能なシステムとして提供することも可能である。
【００６７】
一つの本体装置１０に対して複数の表示装置２０を備えた表示システムでは、各表示装置２０の構成は、図１および図２に示した構成と同じであるが、本体装置１０は、図６に示すように、個々の表示装置２０を識別し認証するための認証手段１５を備えていると共に、記憶装置１６においては複数の表示制御プログラムを記憶するようになっている。これにより、上記本体装置１０は、複数の表示装置２０とのデータ伝送を並列に処理可能となっている。尚、認証手段１５および記憶装置１６は、図１における主処理装置１１内に含まれる機能部として存在するものである。
【００６８】
図６に示す構成の表示システムにおいて、表示動作の手順を図７のタイミングチャートを参照して以下に説明する。
【００６９】
本体装置１０および表示装置２０間での表示データの通信を開始するにあたって、本体装置１０および表示装置２０の両方でシステム初期化処理が行われる（Ｓ０）ことと、使用者が入出力操作部２５の操作によって実行したいアプリケーションを選択する（Ｓ１）こととは図３に示す処理の場合と同じである。尚、上記Ｓ０およびＳ１の処理は各表示装置２０において実行される。図７の処理例では、接続される表示装置を表示装置Ａ・Ｂの２つとし、表示装置Ａでは文字データを用いたアプリケーションが選択され、表示装置Ｂでは画像データを用いたアプリケーションが選択されるものとする。
【００７０】
図７に示す処理例のＳ２においては、選択されたアプリケーションによって指定される通信手段の確立が行われる。この時、図３のＳ２の処理が実行される前に、各表示装置２０の認証が行われる。例えば、表示装置Ａが本体装置１０に対して第１の通信手段を用いての通信手段の確立を行おうとする場合、まず、表示装置Ａから本体装置１０に向けて認証要求が送られ、本体装置１０ではこの認証要求を認証手段１５によって処理することで認証完了の信号を送信する。これにより本体装置１０において表示装置Ａが認証される、
そして、表示装置Ａでは選択されたアプリケーションにより指定される通信手段が第１の通信手段であることから通信部２４ａが起動され本体装置１０側の通信部１２ａとの通信が試みられ、本体装置１０と表示装置Ａとの間で通信方式が確立される。表示装置Ｂにおいても同様の手順によって通信方式の確立が行われる。
【００７１】
図７におけるＳ３〜Ｓ７の処理は、図３におけるＳ３〜Ｓ７の処理と同様の処理である。本体装置１０に接続される表示装置２０が複数の場合には、各表示装置２０のそれぞれにおいてこれらの処理が独立して実行される。
【００７２】
ここで、上述したように、各々の表示装置２０は図１および図２に示されるものと同様の構成であり、表示制御プログラムは本体装置１０から伝送され、これを格納するメモリ３５において更新することができる。このため、表示方式の異なる複数の表示装置において表示を実現する必要が生じても、表示制御プログラムを本体装置１０で共有し、必要に応じて各表示装置２０で更新することにより各々の表示装置２０内で表示制御プログラムを保存する必要が無い。このため、表示装置２０の構成が簡略化できる。
【００７３】
また、表示装置２０と本体装置１０との認証手段に用いられる認証キーと、その表示装置２０が行うアプリケーションおよび表示方式とが、本体装置１０内に備えられたデータテーブル等の参照手段を用いて、予め関連付けられていれば、図７におけるＳ３からＳ４のステップを省略することも可能である。この場合、使用者は表示装置２０の設定をより簡単な操作で行うことができる。
【００７４】
さらに、本発明の表示システムは、移動電話網等のネットワークを利用して文字もしくは画像のアプリケーションを実行したい場合などにも有効となる。図８に示されるネットワークでは、表示装置２０Ａまたは２０Ｂが、中継局４０を介してサーバーコンピュータ５０より文字または画像を受信し、受信した画像の表示が行えるものとする。この場合においてもサーバーコンピュータ５０にこれまでに示した本体装置１０の機能を持たせれば図３および図７のフローにて示した制御と同様の制御が実現可能である。
【００７５】
また、表示装置２０Ａが同じ中継局４０を通して接続されている表示装置２０Ｂから、文字または画像のデータを直接に受信する際の動作を考える。この場合におけるネットワークでは、通信手段として、文字データ向けには低速の第１の通信手段、画像データ向けには高速の第２の通信手段を使用することが可能であり、各表示装置では文字表示向けの低解像度表示および画像表示向けの高解像度表示が使用される。以下に表示動作の手順を図９のタイミングチャートを参照して説明する。
【００７６】
最初、表示装置２０Ａでは文字の表示設定、表示装置２０Ｂでは画像の表示設定の状態にある（Ｓ０）。この状態から表示装置２０Ａにおいて、画像表示を行うという選択がなされる（Ｓ１）と、低速の第１の通信手段から高速の第２の通信手段への切替えが表示装置２０Ａから中継局４０に対して要求され、中継局が第２の通信手段への切替えを行う（Ｓ２）。
【００７７】
続いて、表示装置２０Ａは表示方式の切替えを表示装置２０Ｂに対して要求する（Ｓ３）。選択される表示方式は、表示装置２０Ｂから画像を受信するという要求に応じて、表示方式を表示装置２０Ｂと同一のものとするのが望ましいと考えられる。
【００７８】
表示装置２０Ｂは自身で実行されている表示方式（画素数、ドットクロック周波数）と同一の表示制御プログラムを表示装置２０Ａに伝送する（Ｓ４）。表示装置２０Ａは表示制御プログラムを更新し（Ｓ５）、表示準備完了となる（Ｓ６）。その後、表示装置２０Ｂから表示装置２０Ａへ画像表示データが送信される（Ｓ７）。
【００７９】
このように、表示装置２０Ａを図１における表示装置２０、中継局４０と表示装置２０Ｂとを図１における本体装置１０に置き換えると、図１ないし３にて説明した例と全く同様の処理に従い通信手段と表示方式の選択が可能である。
【００８０】
なお、本実施の形態に係る表示システムにおいて、表示方式および通信方式の変更は、表示装置２０側で実行するアプリケーションが変更されたときに、随時実施することが可能である。すなわち、表示装置２０側にてアプリケーションが変更された場合、最適な表示方式または通信方式が変化する場合、そのことが制御部２３において検出され、この検出に基づいて、図３，７，９に示した処理が実行される。
【００８１】
【発明の効果】
本発明の表示装置は、以上のように、画像処理装置と通信手段により接続され、画像処理装置より伝送された表示データの画面表示が可能な表示装置において、表示データの種類に合わせた最適な表示方式を示すデータフォーマットを画像処理装置に通知する表示方式通知手段と、通知した表示方式で表示を行うための表示制御プラグラムを画像処理装置から受信し、表示制御プログラムの更新を行うプログラム更新手段とを備えている構成である。
【００８２】
それゆえ、表示装置では、表示データの種類に合わせて、最適な表示方式（例えば、解像度）にて表示を行うことができ、表示端末で消費される電力を低減させることができるという効果を奏する。
【００８３】
さらに、表示装置は、表示データに合わせて表示方式を切り替える際、そのための表示制御プログラムを画像処理装置側から受信して更新する構成のため、複数の表示制御プログラムを格納している必要がなく、表示装置の構成を簡略化することができるという効果を奏する。
【００８４】
上記表示装置では、上記表示方式通知手段は、画像処理装置に通知する表示方式に従う表示画素データと同期タイミングとのデータフォーマットを送信することによって表示方式の通知を行う構成とすることができる。
【００８５】
それゆえ、任意の表示方式の画素数および同期タイミングを、表示装置から画像処理装置に認識させ、その値に応じて表示装置を制御する表示制御プログラムの更新が可能なことにより、規格に規定されていない表示方式にも対応できるという効果を奏する。
【００８６】
上記表示装置では、上記表示方式通知手段は、表示方式のスペックに関する記述を含む、文字または画像データのデータフォーマットを送信することによって表示方式の通知を行う構成とすることができる。
【００８７】
それゆえ、任意の表示方式のスペックを、表示装置から画像処理装置に認識させ、そのスペックに応じて表示装置を制御する表示制御プログラムの更新が可能なことにより、規格に規定されていない表示方式にも対応できるという効果を奏する。
【００８８】
上記表示装置は、さらに、表示データの種類に合わせた最適な通信方式を画像処理装置に通知する通信方式通知手段と、画像処理装置との間で、上記通信方式通知手段によって通知した通信方式を確立する通信方式確立手段とを備えている構成とすることができる。
【００８９】
それゆえ、表示装置および画像処理装置の間で、表示データに合わせた最適な通信方式（例えば、通信速度）にて表示データの通信を行うことができ、消費電力の多くを占めると考えられる表示データの伝送に使用される通信手段を選択的に切替ることにより、更なる低消費電力化を図ることができるという効果を奏する。
【００９０】
本発明の画像処理装置は、以上のように、表示装置と通信手段により接続され、表示装置に表示データの伝送を行う画像処理装置において、表示装置から通知される、表示データの種類に合わせた最適な表示方式を示すデータフォーマットを受信する表示方式受信手段と、表示方式受信手段によって受信したデータフォーマットを解析し、該データフォーマットによって示される表示方式を認識する表示方式解析手段と、表示方式解析手段によって認識した表示方式で表示装置に表示を行わせるための表示制御プラグラムを、表示装置に送信するプログラム送信手段とを備えている構成である。
【００９１】
それゆえ、表示装置では、表示データの種類に合わせて、最適な表示方式（例えば、解像度）にて表示を行うことができ、表示端末で消費される電力を低減させることができるという効果を奏する。さらに、表示装置は、表示データに合わせて表示方式を切り替える際、そのための表示制御プログラムを画像処理装置側から受信して更新する構成のため、複数の表示制御プログラムを格納している必要がなく、表示装置の構成を簡略化することができるという効果を奏する。
【００９２】
また、上記画像処理装置では、上記表示方式受信手段によって表示装置から受信するデータフォーマットは、通知される表示方式に従う表示画素データと同期タイミングとのデータフォーマットである構成とすることができる。
【００９３】
それゆえ、任意の表示方式の画素数および同期タイミングを、表示装置から画像処理装置に認識させ、その値に応じて表示装置を制御する表示制御プログラムの更新が可能なことにより、規格に規定されていない表示方式にも対応できるという効果を奏する。
【００９４】
また、上記画像処理装置では、上記表示方式受信手段によって表示装置から受信するデータフォーマットは、表示方式のスペックに関する記述を含む、文字または画像データのデータフォーマットである構成とすることができる。
【００９５】
それゆえ、任意の表示方式のスペックを、表示装置から画像処理装置に認識させ、そのスペックに応じて表示装置を制御する表示制御プログラムの更新が可能なことにより、規格に規定されていない表示方式にも対応できるという効果を奏する。
【００９６】
また、上記画像処理装置では、表示装置から通知される、表示データの種類に合わせた最適な通信方式を受信する通信方式受信手段と、表示装置との間で、上記通信方式受信手段によって受信した通信方式を確立する通信方式確立手段とを備えている構成とすることができる。
【００９７】
それゆえ、表示装置および画像処理装置の間で、表示データの種類に合わせた最適な通信方式（例えば、通信速度）にて表示データの通信を行うことができ、消費電力の多くを占めると考えられる表示データの伝送に使用される通信手段を選択的に切替ることにより、更なる低消費電力化を図ることができという効果を奏するる。
【００９８】
また、本発明の表示システムは、以上のように、表示装置と画像処理装置とが通信手段により接続され、画像処理装置より通信手段を介して伝送された表示データが表示装置側にて画面表示される表示システムにおいて、上記表示装置は、表示データの種類に合わせた最適な表示方式を示すデータフォーマットを画像処理装置に通知する表示方式通知手段と、通知した表示方式で表示を行うための表示制御プラグラムを画像処理装置から受信し、表示制御プログラムの更新を行うプログラム更新手段とを備えており、上記画像処理装置は、表示装置から通知される、表示データの種類に合わせた最適な表示方式を示すデータフォーマットを受信する表示方式受信手段と、表示方式受信手段によって受信したデータフォーマットを解析し、該データフォーマットによって示される表示方式を認識する表示方式解析手段と、表示方式解析手段によって認識した表示方式で表示装置に表示を行わせるための表示制御プラグラムを、表示装置に送信するプログラム送信手段とを備えている構成である。
【００９９】
上記の構成の表示システムでは、上述の表示装置および画像処理装置と同様の効果を得ることができる。
【０１００】
また、上記表示システムでは、一つの画像処理装置に対して複数の表示装置を接続し、上記画像処理装置は、通信を行う表示装置を認証する認証手段を備えている構成とすることができる。
【０１０１】
それゆえ、複数の表示装置を並行して同時に制御する表示システムにおいて、本発明の適用が可能となるという効果を奏する。
【０１０２】
また、上記表示システムでは、上記表示装置および画像処理装置がネットワークによる通信手段によって接続されている構成とすることができる。
【０１０３】
それゆえ、本発明の表示システムを、移動電話網等のネットワークを利用して文字もしくは画像のアプリケーションを実行したい場合などに適用することができるという効果を奏する。
【図面の簡単な説明】
【図１】本発明の一実施形態を示すものであり、表示装置および本体装置からなる表示システムの全体構成を示すブロック図である。
【図２】上記表示装置におけるディスプレイ部およびディスプレイ部コントローラの構成を示すブロック図である。
【図３】図１の表示システムにおける動作手順を示すタイミングチャートである。
【図４】表示方式の通知において表示画素データを用いたデータフォーマットの一例を示すものであり、図４（ａ）〜（ｃ）は水平同期信号、垂直同期信号、画素データを示す図であり、図４（ｄ）はこれによって検出されるドットクロックを示す波形図である。
【図５】表示方式の通知においてアプリケーションデータを用いたデータフォーマットの一例を示すものであり、図５（ａ）は文字表示のアプリケーションデータによるデータフォーマット例、図５（ｂ）は画像表示のアプリケーションデータによるデータフォーマット例を示す図である。
【図６】本発明の他の実施形態を示すものであり、複数の表示装置および単体の本体装置からなる表示システムの構成を示すブロック図である。
【図７】図６の表示システムにおける動作手順を示すタイミングチャートである。
【図８】本発明のさらに他の実施形態を示すものであり、表示システムの構成を示すブロック図である。
【図９】図８の表示システムにおける動作手順を示すタイミングチャートである。
【符号の説明】
１０　　　　　　　本体装置（画像処理装置）
１１　　　　　　　主処理装置（表示方式解析手段・プログラム送信手段・通信方式確立手段）
１２ａ・１２ｂ　　通信部（通信手段・表示方式受信手段・プログラム送信手段・通信方式受信手段）
２０　　　　　　　表示装置
２２　　　　　　　ディスプレイ部コントローラ
２３　　　　　　　制御部（表示方式通知手段・プログラム更新手段・通信方式通知手段・通信方式確立手段）
２４ａ・２４ｂ　　通信部（通信手段・表示方式通知手段・通信方式通知手段）
３５　　　　　　　メモリ（プログラム更新手段）
【図１】
2004021630.tif 000003
【図２】
2004021630.tif 000004
【図３】
2004021630.tif 000005
【図４】
2004021630.tif 000006
【図５】
2004021630.tif 000007
【図６】
2004021630.tif 000008
【図７】
2004021630.tif 000009
【図８】
2004021630.tif 000010
【図９】
2004021630.tif 000011